(57)【特許請求の範囲】
【請求項１】
少なくとも土台、胴差のいずれかを含む横架材と、
上記横架材の側面下部に固定された根太掛け材と、
上面が上記横架材の上面と面一になるように配置され、端部が上記根太掛け材上に載置固定された根太と、
端部が、上記根太の上面と面一な上記横架材の上面に直接に固定された状態で、上記根太の上面に連続面を形成するように隙間なく連続して固定された床下地材と、
全てが上記横架材上に直接に立設され、少なくとも柱を含む垂直材と、
上記垂直材の下部間でかつ上記床下地材の端部上に配置され、床下地材の端部を挟んだ状態で上記横架材に一体的に固定される内壁下地受け材と、
上記床下地材の上面に立設され、下端部が上記内壁下地受け材の側面に固定され、上部が上部横架材に固定され、側部が上記垂直材に固定された内壁下地耐力面材とからなり、
上記床下地材と内壁下地耐力面材とが、内壁下地受け材を介して横架材に一体的に固定されていることを特徴とする壁及び床の接合構造。
【請求項２】
側面上部に切欠き部が設けられ、少なくとも土台、胴差のいずれかを含む横架材と、
上面が上記横架材の上面と面一になるように配置され、端部が上記横架材の切欠き部に嵌め込まれて固定された根太と、
端部が、上記根太の上面と面一な上記横架材の上面に直接に固定された状態で、上記根太の上面に連続面を形成するように隙間なく連続して固定された床下地材と、
全てが上記横架材上に直接に立設され、少なくとも柱を含む垂直材と、
上記垂直材の下部間でかつ上記床下地材の端部上に配置され、床下地材の端部を挟んだ状態で上記横架材に一体的に固定される内壁下地受け材と、
上記床下地材の上面に立設され、下端部が上記内壁下地受け材の側面に固定され、上部が上部横架材に固定され、側部が上記垂直材に固定された内壁下地耐力面材とからなり、
上記床下地材と内壁下地耐力面材とが、内壁下地受け材を介して横架材に一体的に固定されていることを特徴とする壁及び床の接合構造。
【請求項３】
請求項１又は２の壁及び床の接合構造において、
内壁下地耐力面材が無機質系耐力面材からなっていて、長さ２８ｍｍ〜６５ｍｍのねじにより少なくとも垂直材及び内壁下地受け材に固定されていることを特徴とする壁及び床の接合構造。
【発明の詳細な説明】
【０００１】
【発明の属する技術分野】
本発明は、木造住宅における壁及び床の接合構造に関し、特に、地震や台風等による強い水平力や群発地震等による繰返し振動力に対し強固な接合耐力を保持できるようにしたものの技術分野に属する。
【０００２】
【従来の技術】
従来より、この種木造住宅用の壁及び床の接合構造としては、図５〜図７に模式的に示すように種々のものが知られている。すなわち、図５に示す構造では、土台、胴差等の横架材ａの上面に根太ｂが端部にて載置固定され、この根太ｂ上に床下地材ｃが固定され、この床下地材ｃの上に内壁下地材ｄが立設されている。この内壁下地材ｄは、横架材ａ上に立設した柱、間柱等の垂直材ｅに直接固定されるか或いは図示の如く胴縁材ｆ等に固定されて、壁及び床の接合がなされている。
【０００３】
図６の構造では、土台、胴差等の横架材ａの側面下方に根太掛け材ｇが固定され、この根太掛け材ｇ上に根太ｂの端部が根太ｂ上面と横架材ａ上面とが略面一となるように載置されて取付固定されている。さらに、この根太ｂの上に床下地材ｃが固定され、この床下地材ｃ上に内壁下地材ｄが立設され、この内壁下地材ｄは、横架材ａ上に立設した柱、間柱等の垂直材ｅに図示のように直接固定されるか或いは胴縁材（図示せず）等に固定され、その下端部は横架材ａ上に固定した内壁下地受け材ｈの側面に固定されて、壁及び床の接合がなされている。
【０００４】
また、図７に示すものは、２階以上の床に用いられる背の高い根太ｂの場合であり、この従来例では、横架材ａの側面上部に、根太ｂの端部が嵌まり込む切欠き部ａ１が設けられ、この切欠き部ａ１に根太ｂの端部が嵌め込まれて固定されており、それ以外は図６に示す構造と類似の構成で、壁と床とが接合されている。
【０００５】
ところで、近年、高い耐久性の住宅が望まれてきており、特に地震や台風等の水平力や群発地震等による繰返しの振動力に対して、十分な耐力をもつ強い住宅が求められている。そして、従来、壁下地材に構造用合板や石膏ボード等の耐力面材を用いることにより、壁の水平耐力を向上させ、強度的な性質を向上させることも広く行われてきている。
【０００６】
【発明が解決しようとする課題】
しかしながら、上記図５に示す従来の構造においては、壁にあっては、内壁下地材ｄが柱や間柱等の垂直材ｅに直接に、或いは胴縁材ｆを介して取り付けられ、この垂直材ｅが土台や胴差等の横架材ａに固定される一方、床にあっては、根太ｂが直接横架材ａ上面に固定され、その根太ｂの上に床下地材ｃが固定されている構成であるので、壁は壁として、また床は床としてそれぞれ独立して上記横架材ａに固定されることになる。このため、壁と床との接合部における接合強度自体に対しては壁及び床の各々の横架材ａ等への接合強度の影響が大きく、壁及び床が相互に相乗し合ったり補完し合ったりして強度が向上するという効果は期待し難い。
【０００７】
また、このため、内壁下地材ｄに例えば耐力面材を用いて壁強度を強くしても、その水平力への抵抗を床に伝えることができず、モノコック構造と呼ばれる構造によって耐震性等を顕著に向上させることは困難であった。一方、床の耐力を高めようとすると、例えば火打ち土台や火打ち梁で別途補強しておくことが必要であり、その場合、壁と一体的に水平力を伝達するには、柔らかすぎるという欠点があった。
【０００８】
さらには、床の耐力は、土台や胴差等の横架材ａと根太ｂの端部との取付強度、すなわち、その取付精度に大きく左右されるという問題があり、特に上記火打ち梁や火打ち土台を省略して施工を簡素化しようとした場合は、上記取付精度が悪いと、地震や台風等による強い水平力を受けたり、又は群発地震等の繰返しの振動力を受けたりすれば、根太ｂにぐらつき、転び、上下移動等の不具合が生じることがある。その結果、土台や胴差等の横架材ａと根太ｂの端部との接合部に緩みや浮上がり、破損が起こり、上記水平力や振動力等の外力に十分対抗できなくなる虞れがあるばかりでなく、床面に不陸等の凹凸が生じ易いという欠点があった。
【０００９】
すなわち、床面の剛性が低いと、耐力壁の少ない構面の損傷が大きくなるが、床面の剛性が高いと、地震や台風等の外力が耐力壁に伝わり、この外力を耐力壁だけでなく床で吸収できるようになる。
【００１０】
また、上記のように根太ｂを使う場合、水平力や上下振動力を受けると根太ｂが浮き上がろうとするが、上記従来の図５〜図７に示す構造では、根太ｂを固定する釘が主となって抵抗しようとするため、根太ｂの釘による固定精度の影響を受け易く、また、上記外力を受けて釘が緩んだり根太ｂが反ったりすると、不陸を生じ易い。
【００１１】
上記図６に示す従来構造においては、壁にあっては、柱や間柱等の垂直材ｅの下部間で内壁下地受け材ｈを横架材ａに固定し、この内壁下地受け材ｈに内壁下地材ｄの下端部を固定する一方、床にあっては、横架材ａの側面下方に根太掛け材ｇを固定し、この根太掛け材ｇ上に根太ｂの端部を固定し、この根太ｂの上に床下地材ｃを固定しているが、この場合も、図５に示す構造と同様に、壁と床とがそれぞれに横架材ａに取り付けられているので、壁と床との接合部における力の伝達に乏しく、上記のような相乗・補完効果が十分であるとは言い得ない。
【００１２】
また、図６に示す構造では、特に部屋隅部にピアノ等の重量物を載置することもあることを考慮した場合、この部分の根太ｂの支持は、根太掛け材ｇに係るために不安定となる。
【００１３】
さらに、図７に示す構造も上記と同様の問題があった。
【００１４】
本発明は斯かる諸点に鑑みてなされたもので、その目的は、壁及び床の接合構造を改良することで、その壁及び床の接合強度を顕著に向上させ、また根太等の取付精度に多少のムラがあっても、外力を受けたときに壁及び床が互いに相乗かつ補完し合って外力に対するより一層の抵抗が確保できるようにすることにある。
【００１５】
【課題を解決するための手段】
上記の目的を達成するために、この発明では、横架材に対し根太の端部を横架材側面の根太掛け材又は切欠きにより根太上面が横架材上面と面一になるように取り付けて、その両上面間に亘り床下地材を取付固定し、この床下地材の端部上に内壁下地受け材を配置して、それを床下地材端部を挟んだ状態で横架材に固定し、この内壁下地受け材の側面に対し床下地材上の内壁下地耐力面材を固定するようにした。
【００１６】
具体的には、請求項１の発明では、少なくとも土台、胴差のいずれかを含む横架材と、この横架材の側面下部に固定された根太掛け材と、上面が上記横架材の上面と面一になるように配置され、端部が上記根太掛け材上に載置固定された根太と、端部が、上記根太の上面と面一な上記横架材の上面に直接に固定された状態で、上記根太の上面に連続面を形成するように隙間なく連続して固定された床下地材と、全てが上記横架材上に直接に立設され、少なくとも柱を含む垂直材と、この垂直材の下部間でかつ上記床下地材の端部上に配置され、床下地材の端部を挟んだ状態で上記横架材に一体的に固定される内壁下地受け材と、上記床下地材の上面に立設され、下端部が上記内壁下地受け材の側面に固定され、上部が上部横架材に固定され、側部が上記垂直材に固定された内壁下地耐力面材とからなり、上記床下地材と内壁下地耐力面材とが、内壁下地受け材を介して横架材に一体的に固定されていることを特徴としている。
【００１７】
上記の構成により、根太掛け材によって横架材の上面と面一に支持された根太及び該横架材の上面に床下地材が固定されるとともに、その床下地材の端部が土台や胴差等の横架材の上面に配置されて直接に固定され、この横架材には柱や間柱等の垂直材の全てが直接に立設され、該垂直材及び上部横架材に固定される内壁下地耐力面材の下端部が内壁下地受け材に固定され、この内壁下地受け材が上記横架材に、床下地材の端部を貫いた釘やねじ等の固定具により強固に固定されているので、根太は、その端部が、根太掛け材と床下地材、及びこの床下地材の端部を挟んで横架材上に固定される内壁下地受け材、さらには横架材によって狭持された形になる。しかも、内壁下地耐力面材の下端部が内壁下地受け材に固定され、この内壁下地受け材と床下地材の端部とが一体的となって横架材に固定されているので、内壁下地耐力面材の拘束力が、従来構造よりも一層直接的に根太に及ぶことになる。このため、地震や台風等の強い水平力、或いは群発地震の振動力を受けても、根太にぐらつきや転び、上下移動等が極めて生じ難くなり、強い強度を有する床及び壁の接合構造を永年に亘り安定して維持することが可能となる。
【００１８】
また、根太の取付精度に多少の難があっても、上記したようにその端部が狭持された形になって床下地材や横架材により拘束され、しかも内壁下地受け材及びそれに固定される内壁下地耐力面材の拘束力をも受けてしっかりと拘束されるので、上記の外力に対しても十分に抵抗性を維持することができ、根太の浮上がりや不陸を防止することができる。
【００１９】
また、根太を根太掛け材に固定し、床下地材及び内壁下地受け材を横架材にそれぞれ固定しているので、これらの固定を釘打ちにより行った場合、根太の浮上がりに対して３倍の釘が寄与することとなり、根太の浮上がりをさらに有効に防ぐことができる。
【００２０】
そして、こうして壁及び床が横架材に一体的に接合されるので、外力に対し根太がしっかりと拘束されると、床下地もしっかりと固定保持され、この床下地がしっかりすると、内壁下地受け材や内壁下地耐力面材もしっかりとすることとなる。或いはその逆の場合でも同様の効果が得られる。つまり壁及び床が相互に相乗的、補完的に作用し合って耐久性の高い接合構造が維持される。
【００２１】
また、床下地材の端部が横架材自体に直接掛かっているので、ピアノ等の重量物を部屋の隅部に載置しても安定する。
【００２２】
請求項２の発明では、側面上部に切欠き部が設けられ、少なくとも土台、胴差のいずれかを含む横架材と、上面が上記横架材の上面と面一になるように配置され、端部が上記横架材の切欠き部に嵌め込まれて固定された根太と、端部が、上記根太の上面と面一な上記横架材の上面に直接に固定された状態で、上記根太の上面に連続面を形成するように隙間なく連続して固定された床下地材と、全てが上記横架材上に直接に立設され、少なくとも柱を含む垂直材と、この垂直材の下部間でかつ上記床下地材の端部上に配置され、床下地材の端部を挟んだ状態で上記横架材に一体的に固定される内壁下地受け材と、上記床下地材の上面に立設され、下端部が上記内壁下地受け材の側面に固定され、上部が上部横架材に固定され、側部が上記垂直材に固定された内壁下地耐力面材とからなり、上記床下地材と内壁下地耐力面材とが、内壁下地受け材を介して横架材に一体的に固定されていることを特徴としている。
【００２３】
すなわち、上記請求項１の発明では、横架材に根太掛け材を固定し、この根太掛け材に根太を支持固定させる構成としているのに対し、この請求項２の発明では、横架材に、根太の端部を嵌め込むための切欠き部を設け、この切欠き部への嵌め込みにより根太の端部を固定支持しており、その他の構成は請求項１の発明と同様である。従って、この発明でも請求項１の発明と同様の作用効果が発現する。
【００２４】
請求項３の発明では、上記内壁下地耐力面材が無機質系耐力面材からなっていて、長さ２８ｍｍ〜６５ｍｍのねじにより少なくとも垂直材及び内壁下地受け材に固定されていることを特徴としている。すなわち、この発明では、特に石膏ボードや、大建工業（株）製の商品名「ダイライト」等の比較的軽量な無機質系耐力面材からなる内壁下地材を所定寸法のねじで固定するので、内壁下地耐力面材が地震等の水平力に対してより強固に固定されるとともに、無機質系ボードを釘で固定する場合にありがちな内壁下地耐力面材の浮上がり等を良好に防止できる。
【００２５】
【発明の実施の形態】
（実施形態１）
図１及び図２は本発明の実施形態１に係る壁及び床の接合構造を示し、１は住宅の１階部分における土台で、基礎２上に設置されている。この土台１に囲まれる部分の内部には土台１の１対の対向部分と平行になるように複数の大引３，３，…が配置され、この各大引３は複数の床束４，４，…上に亘って支持固定され、その上面は土台１の上面よりも低くて後述する根太掛け材８の上面と略面一になっている。上記土台１や大引３は、住宅の主要な構造強度を受け持つ構造部材を構成する横架材であって、木材（製材品）や集成材等の木質系材料からなる。
【００２６】
上記土台１上の隅角部には柱５，５，…が、また柱５，５間の位置に間柱６がそれぞれ直接に立設固定されており、これら柱５及び間柱６は垂直材を構成している。
【００２７】
上記土台１のうち大引３と平行な部分の側面下部には根太掛け材８が釘又はねじ（ビス）等の固定具３０により固定されている。この根太掛け材８としては、上記土台１（横架材）と同様の木質系材料が使用され、その他、合板やＬＶＬ等も木質系材料として使用することができる。
【００２８】
上記大引３上には大引３と直交する方向に平行に延びる複数の根太９，９，…が上記根太掛け材８に架け渡されるように並設され、この各根太９の中間部は大引３の上面に釘又はねじ（ビス）等の固定具（図示せず）により支持固定されている。この各根太９は後述の床下地材１１を支持固定するためのもので、その上面は上記土台１（横架材）の上面と略面一になるように配置され、その端部９ａは根太掛け材８の上面に載置されて釘又はねじ（ビス）等の固定具３０により固定されている。各根太９は上記土台１又は大引３と同様に木質系材料からなり、例えば４５×４５ｍｍ又は４５×６０ｍｍの角材（１階の場合）が用いられる。
【００２９】
上記根太９，９，…の上面には複数枚の床下地材１１，１１，…が敷き並べられ、この各床下地材１１は各根太９に対し釘やねじ等の固定具３０により固定されている。これら複数枚の床下地材１１，１１，…が床面に敷き並べられて固定される際、一連の連続面を形成するように、つまり床下地材１１，１１同士の間に隙間ができないように連続して並べられて固定される。すなわち、床下地材１１，１１間に隙間があると、床面としての一体感がなくなり、外力を受けたときに局所的な弱点部から損傷を生じる可能性があり、これが壁及び床の接合部の外力に対する抵抗性を低下させる虞れがある。
【００３０】
この床下地材１１の端部のうち、床面の周縁に位置する端部１１ａは、図１に拡大して示すように、根太９の上面と略面一な土台１（横架材）上面にその幅方向中央まで延びるように位置していて、その状態で土台１に対し、釘やねじ等の固定具３０と後述の内壁下地受け材１３の上面から貫通する釘やねじ等の固定具３０とにより固定されている。また、各床下地材１１において、上記柱５と干渉する部分は、その干渉を避けるために欠き込んで施工される。この各床下地材１１には、例えば合板、ＬＶＬ、ＯＳＢ、パーティクルボード、ＭＤＦ等の木質系板材が使用され、この他に大建工業（株）製の商品名「ダイライト」等の無機質系板材を使用することもできる。
【００３１】
上記土台１上に位置する、床下地材１１の端部１１ａ上には内壁下地受け材１３が上記柱５と間柱６との間に配置された状態で載置され、この内壁下地受け材１３は、床下地材１１の端部１１ａを土台１（横架材）の上面との間に挟んだ状態（床下地材１１の端部１１ａを介在させた状態）で該土台１に対し釘やねじ等の固定具３０により一体的に固定されている。この内壁下地受け材１３としては、上記根太掛け材８で説明したものと同様な材料が使用され、その寸法が３０×４０ｍｍ以上のものである。また、この内壁下地受け材１３を止める固定具３０は、同受け材１３の高さよりも長くて土台１に十分に届く長さが必要である。
【００３２】
床下地材１１の端部のうち、床面の周縁に位置する端部１１ａ近くの上面には複数枚の内壁下地耐力面材１５，１５，…（１枚のみ図示する）が立設され、この各内壁下地耐力面材１５の下端部は上記内壁下地受け材１３の側面に釘やねじ等の固定具３０により固定され、側部は上記柱５及び間柱６に直接、同様の固定具（図示せず）により固定されている。この内壁下地耐力面材１５としては、合板、ＬＶＬ、ＯＳＢ、パーティクルボード、ＭＤＦ等の木質系板材が使用され、この他に石膏ボード、大建工業（株）製の商品名「ダイライト」等の無機質系板材を使用することもでき、このような板材は、耐力面材として認められているものを用いるのがよい。
【００３３】
尚、図示していないが、内壁下地耐力面材１５の上部は胴差、梁、軒桁等の上部横架材の側面に直接固定される。或いは、柱５及び間柱６の上部間（胴差等の上部横架材の下面）に上記内壁下地受け材１３と同様な受け材を設けて、その受け材に内壁下地耐力面材１５の上部を固定してもよい。
【００３４】
また、このような内壁下地耐力面材１５を固定する固定具３０は釘でもよいが、上記した無機質板を使用する場合、長さ２８ｍｍ〜６５ｍｍのねじで固定すると、一層良好な耐力を長く発現させることができるので好ましい。
【００３５】
そして、以上により、壁及び床の接合構造は、上記床下地材１１と内壁下地耐力面材１５とが、内壁下地受け材１３を介して土台１（横架材）に一体的に固定されている構造となっている。
【００３６】
したがって、この実施形態の壁及び床の接合構造では、各根太９は、その端部９ａが、根太掛け材８と床下地材１１、及びこの床下地材１１の端部１１ａを挟んで土台１（横架材）上に固定される内壁下地受け材１３、さらには土台１によって狭持され、内壁下地耐力面材１５の下端部は内壁下地受け材１３に固定され、この内壁下地受け材１３と床下地材１１の端部１１ａが一体的となって土台１に固定されているので、内壁下地耐力面材１５の拘束力が従来よりも直接的に根太９に及ぶことになり、地震や台風等の強い水平力、或いは群発地震の振動力を受けても、根太９にぐらつきや転び、上下への移動等が極めて生じ難くなる。よって、強い強度を有する床及び壁の接合構造を永年に亘り安定して維持することができる。
【００３７】
また、各根太９の取付精度が多少低くても、その端部９ａが床下地材１１や土台１により狭持されて拘束されるばかりでなく、内壁下地受け材１３及びそれに固定される内壁下地耐力面材１５の拘束力をも受けて拘束されるので、上記の外力に対しても十分に抵抗性を維持することができ、根太９の浮上がりや不陸を防止することができる。
【００３８】
尚、この実施形態１は、本発明を住宅の１階部分に適用した例であるが、本発明は２階以上の部分に適用できるのは勿論である。その場合、２階以上の部分では胴差、軒桁、床梁が横架材となる。また、２階に根太掛けして納めるに当たり、４５×９０ｍｍ〜１０５ｍｍの根太９を用いるときは、そのままでは転び易いので、かき込みを入れて転ばないようにする必要がある。
【００３９】
（実施形態２）
図３及び図４は本発明の実施態様２を示し（尚、図１及び図２と同じ部分については同じ符号を付してその詳細な説明は省略する）、住宅の２階以上の階における床及び壁の接合構造に適用したものである。１８は胴差で、上記実施形態１の土台１に相当する横架材を構成している。この胴差１８には実施形態１の如き根太掛け材８が固定されておらず、その代わり、胴差１８の所定部位の側面上部には胴差１８の上面から略高さ方向中央部まで根太９の形状と同じ断面矩形状に切り欠いてなる複数の切欠き部１９，１９，…が胴差１８の長さ方向に間隔をあけて形成されている（図３参照）。
【００４０】
また、この胴差１８のうち、上記切欠き部１９，１９，…を有する部分に直交して互いに平行に配置される対向部分の間には床梁２１が掛け渡され、この床梁２１の側面には上記胴差１８の切欠き部１９，１９，…と同様の複数の切欠き部２２，２２，…が対応して形成されている。そして、上記床梁２１と胴差１８との間には両者に直交する方向の複数の根太９，９，…が掛け渡され、この各根太９の一方の端部９ａは上記胴差１８側面の切欠き部１９に、また他方の端部９ｂは床梁２１側面において胴差１８の切欠き部１９に対応する切欠き部２２にそれぞれ嵌め込まれて固定され、各根太９の上面は胴差１８（横架材）及び床梁２１の上面と略面一になるように配置されている。
【００４１】
その他の構成、例えば床下地材１１や内壁下地受け材１３、内壁下地耐力面材１５の取付け等は上記実施形態１と同様である。従って、この実施形態でも実施形態１と同様の作用効果を奏することができる。
【００４２】
尚、この実施形態２の構造を住宅の１階部分に適用してもよいのは言うまでもない。
【００４３】
【発明の効果】
以上説明したように、請求項１又は２の発明によると、横架材上に全ての垂直材を直接に立設するとともに、その横架材に対し根太の端部を横架材側面の根太掛け材又は切欠きにより根太上面が横架材上面と面一になるように取り付けて、その両上面間に亘り隙間なく連続して床下地材を取付固定し、この床下地材の端部上でかつ垂直材の下部間に内壁下地受け材を配置して、それを床下地材端部を挟んだ状態で横架材に固定し、この内壁下地受け材の側面に対し床下地材上に立設されかつ上部横架材及び垂直材に固定された内壁下地耐力面材を固定するようにしたことにより、その壁及び床の接合強度を顕著に向上させることができ、地震や台風等の強い水平力、或いは群発地震の振動力を受けても、根太のぐらつき、転び、上下移動等が生じ難く、強い強度を有する床及び壁の接合構造を永年に亘り安定維持することができるとともに、根太等の取付精度に多少のムラがあっても、外力を受けたときに壁と床とが互いに相乗かつ補完し合って外力に対する大きな抵抗性を維持することができ、根太の浮上がりや不陸を防止することができる。
【００４４】
請求項３の発明によると、内壁下地耐力面材を無機質系耐力面材として、長さ２８ｍｍ〜６５ｍｍのねじにより少なくとも垂直材及び内壁下地受け材に固定するようにしたことにより、石膏ボード等の比較的軽量な無機質系耐力面材からなる内壁下地材が地震等の水平力に対してより強固に固定され、無機質系ボードを釘で固定する場合の内壁下地耐力面材の浮上がり等を良好に防止することができる。
【図面の簡単な説明】
【図１】  本発明の実施形態１に係る壁及び床の接合構造の要部を拡大して示す断面図である。
【図２】  実施形態１の接合構造の全体構成を示す斜視図である。
【図３】  実施形態２の接合構造の要部を拡大して示す図１相当図である。
【図４】  実施形態２の接合構造の全体構成を示す図２相当図である。
【図５】  接合構造の従来例を示す図１相当図である。
【図６】  接合構造の他の従来例を示す図１相当図である。
【図７】  接合構造のさらに他の従来例を示す図１相当図である。
【符号の説明】
１  土台（横架材）
５  柱（垂直材）
６  間柱（垂直材）
８  根太掛け材
９  根太
９ａ  端部
１１  床下地材
１１ａ  端部
１３  内壁下地受け材
１５  内壁下地耐力面材
１８  胴差（横架材）
１９  切欠き部
３０  固定具
【図１】
0003901381.tif 000002
【図２】
0003901381.tif 000003
【図３】
0003901381.tif 000004
【図４】
0003901381.tif 000005
【図５】
0003901381.tif 000006
【図６】
0003901381.tif 000007
【図７】
0003901381.tif 000008